Podtech/llm-jp-corpus-v4-ja_patent huggingface dataset:
【誤訳訂正書】
【提出日】令和3年8月2日(2021.8.2)
【誤訳訂正１】
【訂正対象書類名】明細書
【訂正対象項目名】００５７
【訂正方法】変更
【訂正の内容】
【００５７】
本開示の別の実施形態では、決定されたアップリンクデータ送信の開始位置に関する情報は、使用されるキャリアヌメロロジーとともに、端末装置の決定されたアップリンクデータ送信の開始位置を示してもよい。図５から図８を参照した説明から、可能な開始位置はＮＲシステムで使用されるヌメロロジーに関連していることが理解される。したがって、使用されるヌメロロジーと組み合わせて、テーブル５．３．１．１Ａ−１に示された表示を再利用してもよい。つまり、ＵＬ送信の実際の開始位置は、アップリンクデータ送信の開始位置を示す２ビットとＮＲシステムで使用されるキャリアヌメロロジーから導出してもよい。
【誤訳訂正２】
【訂正対象書類名】特許請求の範囲
【訂正対象項目名】全文
【訂正方法】変更
【訂正の内容】
【特許請求の範囲】
【請求項１】
ユーザ装置による方法であって、
基地局から、アップリンク送信のための第１の時間的な値を示す第１の情報をDCI（Downlink Control Information）フォーマットで受信し、前記第１の時間的な値は、シンボルインデックス、CCA（Clear Channel Assessment）持続時間、またはCCA持続期間とTA（Timing Advance）期間の合計、のいずれかであり、
前記第１の時間的な値および、前記アップリンク送信のために設定されたヌメロロジー値に基づいて、前記アップリンク送信の開始位置が配置されるシンボルおよび、前記シンボル内において前記開始位置が配置される位置を識別し、
前記開始位置からアンライセンスバンドにて前記アップリンク送信を行う、
方法。
【請求項２】
前記アップリンク送信は、PUSCH（Physical Uplink Shared Channel）送信である、
請求項１に記載の方法。
【請求項３】
前記第１の時間的な値は、前記ヌメロロジー値から独立している、
請求項１または２に記載の方法。
【請求項４】
前記ヌメロロジー値は、サブキャリアスペーシングに対応する、
請求項１から３のいずれかに記載の方法。
【請求項５】
前記開始位置は、前記シンボルの境界から前記CCA持続時間後である、
請求項１から４のいずれかに記載の方法。
【請求項６】
前記開始位置は、前記シンボルの境界から前記CCA持続時間および前記TA期間後である、
請求項１から４のいずれかに記載の方法。
【請求項７】
前記開始位置が属するシンボルの次のシンボルは、完全に前記アップリンク送信で占有されている、
請求項１から６のいずれかに記載の方法。
【請求項８】
前記開始位置が属するシンボルは、部分的に前記アップリンク送信で占有されている、
請求項１から７のいずれかに記載の方法。
【請求項９】
さらに、RRC（Radio Resource Control）シグナリングによって第２の情報を受信し、
前記シンボルおよび前記シンボル内において前記開始位置が配置される位置は、さらに前記第２の情報に基づいて決定される、
請求項１から８のいずれかに記載の方法。
【請求項１０】
前記第１の情報は１以上のインデックスを有し、前記第１の時間的な値は１以上の時間的な値を有し、
前記１以上の時間的な値はそれぞれ、前記１以上のインデックスに１つ１つ対応づけられる、
請求項１から９のいずれかに記載の方法。
【請求項１１】
基地局による方法であって、
ユーザ装置へ、アップリンク送信のための第１の時間的な値を示す第１の情報をDCI（Downlink Control Information）フォーマットで送信し、前記第１の時間的な値は、シンボルインデックス、CCA（Clear Channel Assessment）持続時間、またはCCA持続期間とTA（Timing Advance）期間の合計、のいずれかであり、
前記ユーザ装置によって、前記第１の時間的な値および、前記アップリンク送信のために設定されたヌメロロジー値に基づいて、前記アップリンク送信の開始位置が配置されるシンボルおよび前記シンボル内において前記開始位置が配置される位置が識別され、
前記開始位置からアンライセンスバンドにて前記アップリンク送信を受信する、
方法。
【請求項１２】
ユーザ装置であって、
基地局から、アップリンク送信のための第１の時間的な値を示す第１の情報をDCI（Downlink Control Information）フォーマットで受信するよう構成された受信部を有し、前記第１の時間的な値は、シンボルインデックス、CCA（Clear Channel Assessment）持続時間、またはCCA持続期間とTA（Timing Advance）期間の合計、のいずれかであり、
前記第１の時間的な値および、前記アップリンク送信のために設定されたヌメロロジー値に基づいて、前記アップリンク送信の開始位置が配置されるシンボルおよび、前記シンボル内において前記開始位置が配置される位置を識別するよう構成された制御部および、
前記開始位置からアンライセンスバンドにて前記アップリンク送信を行うよう構成された送信部を有する、
ユーザ装置。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
複数の時間点に対応する関心物体の複数の投影データから、前記関心物体の画像を再構築する方法であって、前記方法は、
前記複数の投影データから前記関心物体の複数のボリュメトリックデータを取り出すステップであって、前記ボリュメトリックデータの各々はそれぞれの時間点に対応する、取り出すステップと、
前記それぞれの時間点に対応する複数のエッジ強調後画像ボリュームを取得するために、前記複数のボリュメトリックデータに対して勾配に基づくフィルタを適用するステップと、
正規化された複数のエッジ強調後画像ボリュームを取得するために、正規化された勾配の大きさでエッジを重み付けすることにより、前記複数のエッジ強調後画像ボリュームを重み付けするステップと、
前記正規化された複数のエッジ強調後画像ボリュームに基づいて、複数の第１の動きベクトル場を推定するステップと、
推定された前記複数の第１の動きベクトル場を使用して、前記複数の投影データから、前記関心物体の複数の第１の動き補償後画像ボリュームを再構築するステップであって、前記複数の第１の動き補償後画像ボリュームの各々はそれぞれの時間点に対応する、再構築するステップと、を有する、方法。
【請求項２】
前記関心物体は、弁及び弁尖を含み、前記投影データは、同時に測定された心電図（ＥＣＧ）データ及び／又は光電式容積脈波記録（ＰＰＧ）データの１つ又は複数と共に取得される心臓コンピュータ断層撮影（ＣＴ）投影データに対応する、請求項１に記載の方法。
【請求項３】
前記時間点は、前記ＥＣＧデータ又は前記ＰＰＧデータに基づいて決定され、それにより、前記時間点は心臓の心位相に対応する、請求項２に記載の方法。
【請求項４】
前記複数のボリュメトリックデータに対して前記勾配に基づくフィルタを適用するステップは、
平滑化フィルタを適用することにより、前記ボリュメトリックデータから、ノイズが低減された画像ボリュームを取得するステップと、
前記ノイズが低減された画像ボリュームのデータ点各々について勾配及び／又は勾配の大きさを決定するステップと、
前記データ点各々について勾配の大きさの複数の局所的最大値を決定し、前記局所的最大値に対応しないデータ点を抑制するステップと、
前記勾配の大きさに関する第１の閾値と、前記勾配の大きさに関する第２の閾値とを決定するステップであって、前記第１の閾値は前記第２の閾値より小さい、決定するステップと、
前記データ点ごとに、前記勾配の大きさが前記第２の閾値を下回るか又は上回るかを判定するステップと、
前記データ点ごとに、前記勾配の大きさが前記第１の閾値を下回るか又は上回るかを判定するステップと、
前記勾配の大きさが前記第１の閾値を上回るデータ点のセットであって、前記勾配の大きさが前記第２の閾値を上回るデータ点に接続されているデータ点のセットをマークするステップと、
マークされたデータ点のセットから、前記エッジ強調後画像ボリュームを取得するステップと、を有する、請求項１に記載の方法。
【請求項５】
平滑化された前記画像ボリュームを取得するステップは、ガウスフィルタを前記ボリュメトリックデータに適用することによって達成される、請求項４に記載の方法。
【請求項６】
前記データ点各々について前記勾配を決定するステップは、中心差分を使用して行われ、平滑化された画像ボリュームのデータ点各々について前記勾配の大きさを決定するステップは、ユークリッドノルムを使用して行われる、請求項４に記載の方法。
【請求項７】
前記データ点各々について前記勾配及び／又は前記勾配の大きさを決定するステップは、前記勾配の方向を決定するステップをさらに有する、請求項４に記載の方法。
【請求項８】
前記エッジ強調後画像ボリュームを取得するステップは、
前記正規化された勾配の大きさを決定するステップと、
前記正規化された勾配の大きさを使用して、前記マークされたデータ点を重み付けするステップと、をさらに有する、請求項４に記載の方法。
【請求項９】
前記複数の第１の動きベクトル場を推定するステップは、
前記複数のエッジ強調後画像ボリュームのうち第１のものを、第１の基準画像ボリュームとして決定するステップと、
前記第１の基準画像ボリュームを使用して、前記第１の基準画像ボリュームから前記複数のエッジ強調後画像ボリュームのうち残りのものへの、前記複数の第１の動きベクトル場を推定するステップと、を有する、請求項１に記載の方法。
【請求項１０】
前記複数の第１の動き補償後画像ボリュームから、複数のラインフィルタ処理後画像ボリュームを取得するステップと、
前記複数のラインフィルタ処理後画像ボリュームに基づいて複数の第２の動きベクトル場を推定するステップと、
推定された前記複数の第２の動きベクトル場を使用して、前記投影データから、前記関心物体の複数の第２の動き補償された画像ボリュームを再構築するステップとを更に有する、請求項１に記載の方法。
【請求項１１】
前記複数のラインフィルタ処理後画像ボリュームを取得するステップは、
第１の動き補償後画像ボリュームのうち第１のものを、前記複数の第１の動き補償後画像ボリュームのうち残りのもの各々に位置合わせするための位置合わせ変換を決定するステップと、
複数の位置合わせ後の第１の動き補償後画像ボリュームから、前記複数のラインフィルタ処理後画像ボリュームを取得するステップと、を有する、請求項１に記載の方法。
【請求項１２】
前記ボリュメトリックデータの中での関心領域の選択をさらに含む、請求項１に記載の方法。
【請求項１３】
複数の時間点に対応する関心物体の複数の投影データから、前記関心物体の画像を再構築するための画像処理装置であって、前記画像処理装置は、
前記複数の投影データから取り出された前記関心物体の複数のボリュメトリックデータを記憶するメモリであって、各ボリュメトリックデータはそれぞれの時間点に対応する、メモリと、
前記それぞれの時間点に対応する複数のエッジ強調後画像ボリュームを取得するために、前記複数のボリュメトリックデータに対して勾配に基づくフィルタを適用するフィルタ処理ユニットと、
正規化された勾配の大きさでエッジを重み付けすることにより、複数のエッジ強調後画像ボリュームを重み付けすることにより取得された前記複数のエッジ強調後画像ボリュームに基づいて複数の第１の動きベクトル場を推定する判定ユニットと、
推定された前記複数の第１の動きベクトル場を使用して、複数の投影データから、前記関心物体の複数の第１の動き補償後画像ボリュームを再構築する再構築ユニットであって、前記複数の第１の動き補償後画像ボリュームの各々はそれぞれの時間点に対応する、再構築ユニットと、を備える、画像処理装置。
【請求項１４】
処理ユニットによって実行されたときに、処理ユニットに請求項１から１２の何れか一項に記載の方法のステップを行わせるプログラムコード手段を備える、コンピュータプログラム。
【請求項１５】
請求項１４に記載のコンピュータプログラムが記憶された、コンピュータ可読媒体。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
導電性ポリマーおよび生体適合性成分を含んでなる生体適合性導電性生体材料であって、前記導電性ポリマーはアミノメトキシ安息香酸（ＡＭＢＡ）ポリマーを含んでなり、ここで、前記導電性ポリマーが前記生体適合性成分に結合している、生体適合性導電性生体材料。
【請求項２】
ＡＭＢＡが、３−アミノ−４−メトキシ安息香酸（３−４−ＡＭＢＡ）、４−アミノ−２−メトキシ安息香酸（４−２−ＡＭＢＡ）、４−アミノ−３−メトキシ安息香酸（４−３−ＡＭＢＡ）、２−アミノ−５−メトキシ安息香酸（２−５−ＡＭＢＡ）および２−アミノ−４−メトキシ安息香酸（２−４−ＡＭＢＡ）並びにそれらの混合物から選択される、請求項１に記載の生体適合性導電性生体材料。
【請求項３】
生体適合性成分が、ゼラチン、キトサン、コラーゲン、フィブロネクチン、エラスチン、アルギン酸塩並びにそれらの誘導体および混合物から選択されるか、あるいは、生体適合性成分が、合成生成物、場合により、生分解性合成ポリマーを含んでなる、請求項１または２に記載の生体適合性導電性生体材料。
【請求項４】
導電性ポリマーが、生体適合性成分に共有結合的に結合している、請求項１〜３のいずれか一項に記載の生体適合性導電性生体材料。
【請求項５】
生体材料が、液体溶液、ヒドロゲル、膜、３Ｄパッチもしくはスポンジ、シートまたは移植用メッシュであって、好ましくは生体材料が、ヒドロゲルであり、場合により、前記ヒドロゲルが架橋されている、請求項１〜４のいずれか一項に記載の生体適合性導電性生体材料。
【請求項６】
生体適合性導電性生体材料が、約１０−６Ｓ／ｃｍ以上、約１０−５Ｓ／ｃｍ以上、約１０−４Ｓ／ｃｍ以上、約１０−３Ｓ／ｃｍ以上または約１０−２Ｓ／ｃｍ以上の伝導率を有する、あるいは、生体適合性導電性生体材料が、導電性ポリマーを含まない対照生体材料よりも少なくとも２倍、少なくとも３倍、少なくとも４倍、少なくとも５倍、少なくとも６倍、少なくとも７倍、少なくとも８倍、少なくとも９倍または少なくとも１０倍高い伝導率を有する、請求項１〜５のいずれか一項に記載の生体適合性導電性生体材料。
【請求項７】
導電性ポリマーと生体適合性成分のモル比が、約３０：１〜約６０：１である、請求項１〜６のいずれか一項に記載の生体適合性導電性生体材料。
【請求項８】
１以上の培養培地および心筋細胞をさらに含んでなる、請求項１〜７のいずれか一項に記載の生体適合性導電性生体材料。
【請求項９】
アミノメトキシ安息香酸（ＡＭＢＡ）ポリマーおよびゼラチンを含んでなり、場合により、１以上の培養培地および心筋細胞をさらに含んでなる、導電性ヒドロゲル。
【請求項１０】
ＡＭＢＡポリマーが、ゼラチンの１以上のアミノ基に結合している、請求項９に記載の導電性ヒドロゲル。
【請求項１１】
ヒドロゲルが、約１０−６Ｓ／ｃｍ以上、１０−５Ｓ／ｃｍ以上、約１０−４Ｓ／ｃｍ以上、約１０−３Ｓ／ｃｍ以上または１０−２Ｓ／ｃｍ以上の伝導率を有する、あるいは、ヒドロゲルが、ＡＭＢＡポリマーを含まないゼラチンヒドロゲルよりも少なくとも２倍、少なくとも３倍、少なくとも４倍、少なくとも５倍、少なくとも６倍、少なくとも７倍、少なくとも８倍、少なくとも９倍または少なくとも１０倍高い伝導率を有する、請求項９または１０に記載の導電性ヒドロゲル。
【請求項１２】
ヒドロゲルの含水量が、前記ヒドロゲルの約８０重量％〜約９０重量％である、請求項９〜１１のいずれか一項に記載の導電性ヒドロゲル。
【請求項１３】
請求項１〜８のいずれか一項に記載の生体適合性導電性生体材料または請求項９〜１２のいずれか一項に記載の導電性ヒドロゲルを利用した、デバイスであって、好ましくはデバイスが電極を含んでなる植込み型デバイスであって、好ましくはデバイスが心臓ペースメーカーまたは植込み型除細動器である、デバイス。
【請求項１４】
電極を含んでなる植込み型デバイス、好ましくはペースメーカーまたはＩＣＤと、導電性ポリマーおよび生体適合性成分を含んでなる生体適合性導電性生体材料（前記導電性ポリマーはアミノメトキシ安息香酸（ＡＭＢＡ）ポリマーを含んでなる）と、装着時に前記生体適合性導電性生体材料が前記電極を囲むように前記デバイスを装着するための説明書とを含んでなる、キット。
【請求項１５】
心臓の病態の寛解または処置に使用するための、請求項１〜８のいずれか一項に記載の生体適合性導電性生体材料、請求項９〜１２のいずれか一項に記載のヒドロゲル、請求項１３に記載のデバイスまたは請求項１４に記載のキットであって、好ましくは心臓の病態が、場合によっては心臓手術に起因する、心筋梗塞、虚血心筋、心筋線維症、心不全、房室ブロック、不整脈、徐脈または伝導異常である、生体適合性導電性生体材料、ヒドロゲル、デバイスまたはキット。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
複数の他の位置指示デバイスと共に移動しながら動作可能である位置指示デバイスであって、前記位置指示デバイスが、
位置指示信号を放射する少なくとも１つのエミッタと、
受信機と、
電源と、
電子回路であって、
ａ）前記デバイスの同期範囲内に位置する他の位置指示デバイスから、前記受信機を介して、１つまたは複数の同期信号を受信し、
ｂ）前記同期範囲内に位置する１つ以上の他の位置指示デバイスからの１つまたは複数の同期信号の受信に応答して、前記少なくとも１つのエミッタに、前記同期範囲内に位置する前記１つ以上の他の位置指示デバイスによって放射される信号と同期される信号を放射させるように、構成され、かつプログラムされた電子回路と、を備え、
前記電子回路は、
前記１つ以上の他の位置指示デバイスによって放射される信号と同期される信号を、その信号を放射するデバイスが前記同期範囲から外れたときに、前記少なくとも１つの信号エミッタが放射するのを停止させるようにさらにプログラムされている、デバイス。
【請求項２】
少なくとも部分的に半透明である１つ以上の側壁と、少なくとも部分的に半透明である１つ以上の上部壁と、を有する、ハウジングをさらに備え、前記少なくとも１つの光エミッタが、上部放射モードで動作するときの、前記１つ以上の上部壁を通る上向きに向けられた光、または側部放射モードで動作するときの、前記１つ以上の側壁を通る側方に向けられた光を交互に放射する、請求項１に記載のデバイス。
【請求項３】
前記スイッチング回路が、フレアの特定の移動に応答して、前記側部放射モードと前記上部放射モードとの間で切り替えさせる運動作動式スイッチング装置を備える、請求項１または２に記載のデバイス。
【請求項４】
前記運動作動式スイッチング装置が、動的エミッタ配向を、前記フレアが水平方向と垂直方向との間で前後に移動されるように、前記フレアが前記上部放射モードと前記側部放射モードとの間で前後に切り替わるようにさせる、請求項１〜３のいずれか１項に記載のデバイス。
【請求項５】
前記少なくとも１つのエミッタが、複数の発光ダイオードを備える、請求項１〜４のいずれか１項に記載のデバイス。
【請求項６】
１つ以上の磁石をさらに備える、請求項１〜５のいずれか１項に記載のデバイス。
【請求項７】
前記デバイスが垂直位置にあるとき、前記スイッチング回路が、前記デバイスを上部放射モードで動作させ、かつ前記１つ以上の磁石は、前記デバイスが垂直位置になるように、前記デバイスを強磁性部材に取り付けるために使用可能であり、かつ前記スイッチング回路は、前記デバイスを上部放射モードで動作させる、請求項６に記載のデバイス。
【請求項８】
前記スイッチング回路が、前記モーション作動式スイッチング装置をオーバーライドするロック機能を含む、請求項３に記載のデバイス。
【請求項９】
前記ロック機能は、ユーザーが、上部放射モードまたは側部放射モードのいずれかで前記デバイスをロックすることを可能にする、請求項８に記載のデバイス。
【請求項１０】
車両、自転車、オートバイ、バイク、ウェアラブル衣服、ベスト、靴、ランニングシューズ、ヘッドギア、キャップ、帽子、ヘルメット、安全帽、ストラップ、レッグストラップ、アームストラップ、ベルト、バックパック、首ひも、ジュエリー、イヤリング、ネックレス、およびリストバンドから選択される物体に前記デバイスを取り付けるための１つ以上のコネクタをさらに備える、請求項１〜９のいずれか１項に記載のデバイス。
【請求項１１】
車両、自転車、自転車の座席、自転車のランプ、オートバイ、バイク、ウェアラブル衣服、ベスト、靴、ランニングシューズ、ヘッドギア、キャップ、帽子、ヘルメット、安全帽、ストラップ、レッグストラップ、アームストラップ、ベルト、バックパック、首ひも、ジュエリー、イヤリング、ネックレス、およびリストバンドから選択される物体に取り付けられ、組み込まれ、または一体化された、請求項１〜１０のいずれか１項に記載のデバイス。
【請求項１２】
請求項１〜１１に記載のいずれか１項に記載の複数のデバイスを備えるシステムであって、
前記電子回路は、
前記群信号モードで動作すること、
前記群信号モードで動作している場合、互いの同期範囲内にある前記複数のデバイスに信号を一斉に放射させること、を実行するようにプログラムされている、システム。
【請求項１３】
請求項１２に記載のシステムを用いる方法であって、
動いている複数の歩行者または車両の各々に、前記位置指示デバイスのうちの少なくとも１つを装備させること、
光信号を放射させ、同期範囲内にある前記位置指示デバイスのうちの他のものに高周波同期信号を送信させることを、前記位置指示デバイスのエミッタに実行させること、を備え、
各位置指示デバイスの電子回路は、
前記同期範囲内にある前記信号放射デバイスの１つまたは複数の他のデバイスから受信した前記１つまたは複数の同期信号を使用して、前記同期範囲内にある前記信号放射デバイスの信号エミッタに、
最初に配置された信号放射デバイスから最後に配置された信号放射デバイスへと進行する順番での光の閃光、
最後に配置された信号放射デバイスから最初に配置された信号放射デバイスへと進行する順番での光の閃光、
調和した光の閃光、
調和した連続した光、
所定の閃光パターンでの光の閃光、
所定の色パターンの光の閃光、および
一対の信号放射デバイスからの光の同時閃光、から選択された同期フォーマットの光信号を放射させる、方法。
【請求項１４】
前記位置指示デバイスは、
車両、自転車、オートバイ、バイク、ウェアラブル衣服、ベスト、靴、ランニングシューズ、ヘッドギア、キャップ、帽子、ヘルメット、安全帽、ストラップ、レッグストラップ、アームストラップ、ベルト、バックパック、首ひも、ジュエリー、イヤリング、ネックレス、およびリストバンドから選択される物体に結合されている、請求項１４に記載の方法。
【請求項１５】
前記信号エミッタから放射される光信号は、前記歩行者または前記車両が互いに近づくにつれて、点滅の色、強度または速さが変化する、請求項１３または１４に記載の方法。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
ユーザ機器(UE)による、ワイヤレス通信における拡張報告のための方法であって、
ランダムアクセス手順、または前記ランダムアクセス手順に関連付けられた接続確立手順の結果に関する情報についての情報要求を、ネットワークノードから受信するステップと、
前記受信された情報要求に応答して、前記ネットワークノードへ報告を送るステップであって、前記報告は、前記ネットワークノードが、前記ランダムアクセス手順の開始カバレージ拡張(CE)レベルを判断できるようにする情報を含み、前記情報は、前記ランダムアクセス手順を開始するために少なくとも1つのランダムアクセスプリアンブルを前記UEが送信した前記UEの前記CEレベルを含む、ステップとを含む方法。
【請求項２】
前記UEは、拡張マシンタイプ通信(eMTC)UE、狭帯域モノのインターネット(NB-IoT)UE、カバレージ拡張(CE)モードにあるUE、またはそれらの組合せを含む、または、
前記メッセージはランダムアクセスチャネル(RACH)レポートを含む、または、
前記情報は前記開始CEレベルを含む、または、
前記情報は、前記ランダムアクセス手順の完了が成功したCEレベルにおいて前記UEによって送られたランダムアクセスプリアンブルの総数を含む、または、
前記ランダムアクセス手順は、前記UEが、測定された基準信号受信電力(RSRP)および前記ネットワークノードによって与えられた閾値に基づいて、前記UEのCEレベルに関連付けられた方式に従ってランダムアクセスプリアンブルを送ることを含む、または、
前記メッセージは、前記UEのロケーション情報をさらに含む、または、
前記情報要求は、ランダムアクセスチャネル(RACH)レポートについての要求を含む、または、
前記メッセージはランダムアクセスチャネル(RACH)レポートを含む、または、
前記ランダムアクセス手順は前記接続確立手順を始動する、または、
前記ネットワークノードは自己組織化ネットワークの一部である、請求項1に記載の方法。
【請求項３】
前記メッセージは、前記ランダムアクセス手順中に競合が検出されたかどうかの表示と、前記競合が検出された前記CEレベルとをさらに含む、請求項1に記載の方法。
【請求項４】
前記メッセージは、競合解決が失敗した1つまたは複数のCEレベルの表示をさらに含む、請求項3に記載の方法。
【請求項５】
前記接続確立手順は失敗しており、前記情報要求は接続確立失敗レポートについての要求を含む、請求項1に記載の方法。
【請求項６】
前記接続確立手順の失敗はタイマの満了を含む、請求項5に記載の方法。
【請求項７】
ネットワークノードによる、ワイヤレス通信における方法であって、
ランダムアクセス手順、または前記ランダムアクセス手順に関連付けられた接続確立手順の結果に関する情報についての情報要求を、ユーザ機器(UE)へ送るステップと、
前記情報要求に応答して、前記UEから報告を受信するステップであって、前記報告は、前記ネットワークノードが、前記ランダムアクセス手順の開始カバレージ拡張(CE)レベルを判断できるようにする情報を含み、前記情報は、前記ランダムアクセス手順を開始するために少なくとも1つのランダムアクセスプリアンブルを前記UEが送信した前記UEの前記CEレベルを含む、ステップとを含む方法。
【請求項８】
前記UEは、拡張マシンタイプ通信(eMTC)UE、狭帯域モノのインターネット(NB-IoT)UE、カバレージ拡張(CE)モードにあるUE、またはそれらの組合せを含む、または、
前記メッセージはランダムアクセスチャネル(RACH)レポートを含む、または、
前記情報は前記開始CEレベルを含む、または、
前記情報は、前記ランダムアクセス手順の完了が成功したCEレベルにおいて前記UEによって送られたランダムアクセスプリアンブルの総数を含む、または、
前記ランダムアクセス手順は、前記UEが、測定された基準信号受信電力(RSRP)および前記ネットワークノードによって与えられた閾値に基づいて、前記UEのCEレベルに関連付けられた方式に従ってランダムアクセスプリアンブルを送ることを含む、または、
前記メッセージは、前記UEのロケーション情報をさらに含む、または、
前記接続確立手順は前記ランダムアクセス手順によって始動される、または、
前記ネットワークノードは自己組織化ネットワークの一部である、請求項7に記載の方法。
【請求項９】
前記メッセージは、前記ランダムアクセス手順中に競合が検出されたかどうかの表示をさらに含み、請求項7に記載の方法。
【請求項１０】
前記メッセージは、競合解決が失敗した1つまたは複数のCEレベルの表示をさらに含む、請求項7に記載の方法。
【請求項１１】
前記情報要求は、ランダムアクセスチャネル(RACH)レポートについての要求を含む、請求項7に記載の方法。
【請求項１２】
前記接続確立手順は失敗しており、前記情報要求は接続確立失敗レポートについての要求を含む、請求項11に記載の方法。
【請求項１３】
前記ランダムアクセス手順の失敗は、タイマの満了によって示される、請求項12に記載の方法。
【請求項１４】
ワイヤレス通信における拡張報告のための装置であって、請求項1から6および請求項7から13のうちのいずれか一項に記載の方法を実行するように構成された手段を備える、装置。
【請求項１５】
拡張報告のためのコンピュータ可読記録媒体であって、前記コンピュータ可読記録媒体はコードを備え、前記コードは、少なくとも1つのプロセッサによって実行されると、請求項1から6および請求項7から13のうちのいずれか一項に記載の方法を実行するように構成される、コンピュータ可読記録媒体。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のワイヤレス通信デバイスによって、周波数スペクトルの電力スペクトル密度(PSD)パラメータに基づいて、前記周波数スペクトルにおいて通信するために波形構造をインターレース周波数構造とノンインターレース周波数構造とから選択するステップと、
前記第1のワイヤレス通信デバイスによって、前記選択された波形構造に基づく通信信号を前記周波数スペクトルにおいて第2のワイヤレス通信デバイスと通信するステップとを含み、
前記選択するステップは、前記PSD要件を有する前記周波数スペクトルの第1の周波数帯域と前記PSD要件を有しない前記周波数スペクトルの第2の周波数帯域とに基づき、
前記通信するステップは、
前記インターレース周波数構造を有する第1の通信信号を、前記第1の周波数帯域において通信することと、
前記ノンインターレース周波数構造を有する第2の通信信号を、前記第2の周波数帯域において通信することとを含む、方法。
【請求項２】
前記インターレース周波数構造は、前記周波数スペクトルにおける少なくとも周波数帯域の第1のセットを含み、周波数帯域の前記第1のセットが前記周波数スペクトルにおける周波数帯域の第2のセットとインターレースし、前記ノンインターレース周波数構造は、前記周波数スペクトルにおける1つまたは複数の連続した周波数帯域を含む、請求項1に記載の方法。
【請求項３】
前記PSDパラメータは、前記周波数スペクトルにおけるPSD要件と関連付けられ、前記選択するステップは、
前記周波数スペクトルが前記PSD要件を有するかどうかを判定することと、
前記周波数スペクトルの前記第1の周波数帯域が前記PSD要件を有すると判定したときに前記インターレース周波数構造を前記第1の周波数帯域において通信するための前記波形構造として選択することとを含む、請求項1に記載の方法。
【請求項４】
前記第1のワイヤレス通信デバイスによって、前記周波数スペクトルの前記第1の周波数帯域において通信するための前記インターレース周波数構造を示す構成を送信するステップをさらに含む、請求項1に記載の方法。
【請求項５】
前記選択するステップは、前記第2のワイヤレス通信デバイスの電力ヘッドルームに基づく、請求項4に記載の方法。
【請求項６】
前記第1のワイヤレス通信デバイスによって、前記周波数スペクトルの前記第1の周波数帯域において通信するための前記インターレース周波数構造を示す構成を前記第2のワイヤレス通信デバイスから受信するステップをさらに含み、前記選択するステップは前記構成に基づく、請求項1に記載の方法。
【請求項７】
前記第1のワイヤレス通信デバイスによって、インターレース周波数構造を有するランダムアクセスリソースの第1のセットとノンインターレース周波数構造を有するランダムアクセスリソースの第2のセットとを示す構成を前記第2のワイヤレス通信デバイスと通信するステップと、
前記第1のワイヤレス通信デバイスによって、前記構成に基づくランダムアクセス信号を前記第2のワイヤレス通信デバイスと通信するステップとをさらに含む、請求項1に記載の方法。
【請求項８】
ランダムアクセスリソースの前記第1のセットとランダムアクセスリソースの前記第2のセットは、前記周波数スペクトル内のそれぞれに異なる周波数帯域内に位置する、または、ランダムアクセスリソースの前記第1のセットとランダムアクセスリソースの前記第2のセットは、それぞれに異なる期間内に位置する、請求項7に記載の方法。
【請求項９】
前記構成を通信する前記ステップは、前記第1のワイヤレス通信デバイスによって前記構成を前記第2のワイヤレス通信デバイスに送信することを含み、前記ランダムアクセス信号を通信する前記ステップは、前記第1のワイヤレス通信デバイスによって前記ランダムアクセス信号を監視すること、または、
前記第1のワイヤレス通信デバイスによって、前記第2のワイヤレス通信デバイスから前記構成を受信することを含む、請求項7に記載の方法。
【請求項１０】
前記構成を通信する前記ステップが、前記第1のワイヤレス通信デバイスによって、前記第2のワイヤレス通信デバイスから前記構成を受信するステップを含み、前記方法は、
前記第1のワイヤレス通信デバイスによって、前記構成、前記第2のワイヤレス通信デバイスの電力ヘッドルーム、または前記第2のワイヤレス通信デバイスの電力利用率因子のうちの少なくとも1つに基づいて、ランダムアクセスリソースの前記第1のセットを使用して前記ランダムアクセス信号を前記第2のワイヤレス通信デバイスに送信すべきか、それともランダムアクセスリソースの前記第2のセットを使用して前記ランダムアクセス信号を前記第2のワイヤレス通信デバイスに送信すべきかを判定するステップをさらに含む、請求項9に記載の方法。
【請求項１１】
前記構成を通信する前記ステップが、前記第1のワイヤレス通信デバイスによって、前記第2のワイヤレス通信デバイスから前記構成を受信するステップを含み、前記ランダムアクセス信号を通信する前記ステップは、
前記第1のワイヤレス通信デバイスによって、ランダムアクセスリソースの前記第2のセットを使用して、前記ノンインターレース周波数構造を有する第1のランダムアクセス信号を第1の送信電力で前記第2のワイヤレス通信デバイスに送信することと、
前記第1のワイヤレス通信デバイスによって、ランダムアクセスリソースの前記第1のセットを使用して、前記インターレース周波数構造を有する第2のランダムアクセス信号を前記第1の送信電力よりも高い第2の送信電力で前記第2のワイヤレス通信デバイスに送信することとを含む、請求項9に記載の方法。
【請求項１２】
前記第1のワイヤレス通信デバイスによって、前記第2の送信電力とランダムアクセスリソースの前記第2のセットの周波数帯域のPSDパラメータとの比較に基づいて、ランダムアクセスリソースの前記第1のセットを使用して、前記インターレース周波数構造を有する前記第2のランダムアクセス信号を送信することを決定するステップをさらに含む、請求項11に記載の方法。
【請求項１３】
前記周波数スペクトルは、前記ノンインターレース周波数構造についての第1のサブキャリア間隔を含み、前記通信信号を通信する前記ステップは、前記インターレース周波数構造についての第2のサブキャリア間隔を使用して前記通信信号を通信することを含み、前記第1のサブキャリア間隔は前記第2のサブキャリア間隔よりも大きい、請求項1に記載の方法。
【請求項１４】
プロセッサと、
前記プロセッサと通信するメモリと、
前記メモリに格納された命令とを備える装置であって、前記命令は前記プロセッサによって実行されると、請求項1〜13のいずれか一項に記載の方法を前記装置に実行させる、装置。
【請求項１５】
プログラムコードをその上に記録するコンピュータ可読記憶媒体であって、前記プログラムコードが、請求項1〜13のいずれか一項に記載の方法をワイヤレス通信デバイスに実行させるためのコードを含む、コンピュータ可読記憶媒体。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって実行されるワイヤレス通信の方法であって、
特定のサイズのビットの複数のグループを識別するステップであって、前記特定のサイズが2n-1ビットであり、前記nが整数である、ステップと、
前記ビットの複数のグループにパリティビットを追加するステップであって、対応するパリティビットが2n番目のビットとして前記ビットの複数のグループに関連付けられる、ステップと、
前記ビットの複数のグループを前記対応するパリティビットとともに偶数指数変調コンスタレーションにマッピングすることによって、奇数指数変調コンスタレーションを生成するステップであって、
前記奇数指数変調コンスタレーションが2n-1次を有し、
前記対応するパリティビットのうちの少なくとも1つの対応するパリティビットが、前記マッピングのために前記ビットの複数のグループのうちのビットの1つのグループに追加される、ステップと、
前記奇数指数変調コンスタレーションに少なくとも部分的に基づいて信号を送信するステップと
を備える方法。
【請求項２】
前記偶数指数変調コンスタレーションのコンスタレーションポイントのサブセットが、前記対応するパリティビットに少なくとも部分的に基づいて前記奇数指数変調コンスタレーションにおいてスキップされる、請求項1に記載の方法。
【請求項３】
前記偶数指数変調コンスタレーションの1つおきのコンスタレーションポイントが、前記対応するパリティビットに少なくとも部分的に基づいて前記奇数指数変調コンスタレーションにおいてスキップされる、請求項1に記載の方法。
【請求項４】
前記奇数指数変調コンスタレーションが、前記ビットの複数のグループが前記対応するパリティビットとともにマッピングされることに少なくとも部分的に基づいて、前記偶数指数変調コンスタレーションよりも大きいコンスタレーションポイント間の最小距離に関連付けられる、請求項1に記載の方法。
【請求項５】
前記対応するパリティビットが、前記ビットの複数のグループのうちのビットの1つのグループ当たり1つのパリティビットを含み、
前記偶数指数変調コンスタレーションのコンスタレーションポイント間の最小距離が、xに等しく、
前記奇数指数変調コンスタレーションのコンスタレーションポイント間の最小距離が、2の平方根掛けるxに等しい、
請求項4に記載の方法。
【請求項６】
前記奇数指数変調コンスタレーションが、前記偶数指数変調コンスタレーションの対称性を保持する、請求項1に記載の方法。
【請求項７】
前記対称性が、前記奇数指数変調コンスタレーションの同相軸に関して45度の角度または135度の角度の対称軸に対応する、請求項6に記載の方法。
【請求項８】
前記奇数指数変調コンスタレーションが、前記偶数指数変調コンスタレーションのコンスタレーションパワー正規化係数に等しいコンスタレーションパワー正規化係数を有する、請求項1に記載の方法。
【請求項９】
ワイヤレス通信のためのコンピュータ実行可能コードを記録するコンピュータ可読記録媒体であって、前記コンピュータ実行可能コードが、コンピュータに請求項1から8のいずれか一項に記載の方法を実行させるためのコードを含む、コンピュータ可読記録媒体。
【請求項１０】
特定のサイズのビットの複数のグループを識別するための手段であって、前記特定のサイズが2n-1ビットであり、前記nが整数である、手段と、
前記ビットの複数のグループにパリティビットを追加するための手段であって、対応するパリティビットが2n番目のビットとして前記ビットの複数のグループに関連付けられる、手段と、
前記ビットの複数のグループを前記対応するパリティビットとともに偶数指数変調コンスタレーションにマッピングすることによって、奇数指数変調コンスタレーションを生成するための手段であって、
前記奇数指数変調コンスタレーションが2n-1次を有し、
前記対応するパリティビットのうちの少なくとも1つの対応するパリティビットが、前記マッピングのために前記ビットの複数のグループのうちのビットの1つのグループに追加される、手段と、
前記奇数指数変調コンスタレーションに少なくとも部分的に基づいて信号を送信するための手段と
を備える装置。
【請求項１１】
前記偶数指数変調コンスタレーションのコンスタレーションポイントのサブセットが、前記対応するパリティビットに少なくとも部分的に基づいて前記奇数指数変調コンスタレーションにおいてスキップされる、請求項10に記載の装置。
【請求項１２】
前記奇数指数変調コンスタレーションが、前記ビットの複数のグループが前記対応するパリティビットとともにマッピングされることに少なくとも部分的に基づいて、前記偶数指数変調コンスタレーションよりも大きいコンスタレーションポイント間の最小距離に関連付けられる、請求項10に記載の装置。
【請求項１３】
前記奇数指数変調コンスタレーションが、前記偶数指数変調コンスタレーションの対称性を保持する、請求項10に記載の装置。
【誤訳訂正書】
【提出日】令和2年12月3日(2020.12.3)
【誤訳訂正１】
【訂正対象書類名】特許請求の範囲
【訂正対象項目名】全文
【訂正方法】変更
【訂正の内容】
【特許請求の範囲】
【請求項１】
発泡組成物を作製するための方法であって、
ａ．液体ヘアトリートメント組成物を提供するステップと、
ｂ．チャンバ、取り外し可能な又は再充填可能な加圧ガスユニット及び注出ノズルを備える発泡装置を提供するステップと、
ｃ．前記液体ヘアトリートメント組成物を前記発泡装置の前記チャンバの中に入れるステップと、
ｄ．前記チャンバに前記ガスを充填するステップと、
ｅ．前記液体ヘアトリートメント組成物と前記ガスを混合するステップと、
ｆ．前記組成物が前記ノズルから泡として噴出されるように前記発泡装置を操作するステップと
を含み、前記液体ヘアトリートメント組成物が、少なくとも１つのコンディショニング成分を含み、ヘアスタイリングポリマーを含まない、方法。
【請求項２】
前記取り外し可能であるか又は再充填可能な加圧ガスユニットが、ガスキャニスター及びガスシリンダーから選択される、請求項１に記載の方法。
【請求項３】
前記ガスが、二酸化炭素及び亜酸化窒素から選択される、請求項１又は請求項２に記載の方法。
【請求項４】
前記液体ヘアトリートメント組成物が、包装されている、請求項１〜３のいずれか一項に記載の方法。
【請求項５】
前記液体ヘアトリートメント組成物が、シャンプー、洗い流すヘアコンディショナー、ヘアマスク、リーブオンコンディショナー組成物、及び前処理組成物から選択される、請求項１〜４のいずれか一項に記載の方法。
【請求項６】
前記液体ヘアトリートメント組成物が、ヘリパススタンドでスピンドルＡ又はＢを０．５ｒｐｍで６０秒間使用するブルックフィールドＲＶＴで３０℃で測定して、５，０００〜７５０，０００センチポイズ、好ましくは５０，０００〜６００，０００センチポイズの粘度を有する、洗い流すヘアコンディショナー、ヘアマスク又はリーブオンコンディショナー組成物から選択される、請求項１〜５のいずれか一項に記載の方法。
【請求項７】
前記コンディショニング成分が、カチオン性界面活性剤、シリコーン、脂肪質及び油から選択される、請求項１〜６のいずれか一項に記載の方法。
【請求項８】
請求項１〜６のいずれか一項に記載の方法から得られ、少なくとも１つのコンディショニング成分を含む、毛髪のトリートメントのための発泡組成物であって、前記組成物がヘアスタイリングポリマーを含まない、発泡組成物。
【請求項９】
請求項８に記載の発泡組成物を毛髪に塗布するステップを含む、毛髪を処理する方法。
【請求項１０】
前記発泡組成物が生成されてから２４時間以内に使用される、請求項９に記載の方法。
【請求項１１】
改良されたコンディショニング、スタイル上の利点、増加したコンディショニング感、輝き、滑らかさ、繊維の整列、ボリューム及び形状上の利点から選択される利点を毛髪へ提供するための、請求項８に記載の発泡組成物の使用。
【誤訳訂正２】
【訂正対象書類名】明細書
【訂正対象項目名】００１１
【訂正方法】変更
【訂正の内容】
【００１１】
第１の態様において、本発明は、
ａ．液体ヘアトリートメント組成物を提供するステップ、
ｂ．チャンバ、取り外し可能な又は再充填可能な加圧ガスユニット及び注出ノズルを備える発泡装置を提供するステップ、
ｃ．液体ヘアトリートメント組成物を発泡装置のチャンバの中に入れるステップ、
ｄ．チャンバにガスを充填するステップ、
ｅ．液体ヘアトリートメント組成物とガスを混合するステップ、
ｆ．組成物がノズルから泡として噴出されるように前記発泡装置を操作するステップ
を含む、第１の態様の発泡組成物を作製するためのプロセスを提供し、この際、液体ヘアトリートメント組成物は、少なくとも１つのコンディショニング成分を含み、ヘアスタイリングポリマーを含まない。
【誤訳訂正３】
【訂正対象書類名】明細書
【訂正対象項目名】００６７
【訂正方法】変更
【訂正の内容】
【００６７】
発泡装置
本発明の方法で使用する発泡装置は、チャンバ、取り外し可能であるか又は再充填可能な加圧ガスユニット及び注出ノズルを備える。
【誤訳訂正４】
【訂正対象書類名】明細書
【訂正対象項目名】００７１
【訂正方法】変更
【訂正の内容】
【００７１】
取り外し可能であるか又は再充填可能な加圧ガスユニット
発泡組成物は、取り外し可能であるか又は再充填可能な加圧ガスユニットからの加圧ガスの使用によって生成される。取り外し可能であるか又は再充填可能な加圧ガスユニットの適した例としては、ガスキャニスター及びガスシリンダーが挙げられる。好ましくはそれは、ガスキャニスター、より好ましくは小型のガスキャニスターであり、好ましくは６〜１５ｃｍ、より好ましくは１０ｃｍ未満の長さである。好ましい小型キャニスターの容量は、適切に、１０〜１００ｍｌである。
【誤訳訂正５】
【訂正対象書類名】明細書
【訂正対象項目名】００７６
【訂正方法】変更
【訂正の内容】
【００７６】
方法
本発明のプロセスは、
ａ．液体ヘアトリートメント組成物を提供するステップ、
ｂ．チャンバ、取り外し可能な又は再充填可能な加圧ガスユニット及び注出ノズルを備える発泡装置を提供するステップ
ｃ．液体ヘアトリートメント組成物を発泡装置のチャンバの中に入れるステップ、
ｄ．チャンバにガスを充填するステップ、
ｅ．液体ヘアトリートメント組成物とガスを混合するステップ、
ｆ．組成物がノズルから泡として噴出するように前記発泡装置を操作するステップ
を含み、該液体ヘアトリートメント組成物は、少なくとも１つのコンディショニング成分を含み、ヘアスタイリングポリマーを含まない。
【誤訳訂正書】
【提出日】令和2年11月26日(2020.11.26)
【誤訳訂正１】
【訂正対象書類名】特許請求の範囲
【訂正対象項目名】全文
【訂正方法】変更
【訂正の内容】
【特許請求の範囲】
【請求項１】
内側導体と、外側導体と、前記内側導体を前記外側導体から分離する誘電体材料とを有する同軸ケーブルと、
前記同軸ケーブルの遠位端に配置された遠位ヘッド組立体と、
前記遠位ヘッド組立体に据え付けられたスネアワイヤとを備え、
前記遠位ヘッド組立体は、エンドキャップを含み、
前記エンドキャップは、
前記内側導体に接続された遠位に向くエネルギー伝達構造部と、
前記遠位に向くエネルギー伝達構造部の出口と前記エンドキャップの近位面の入口との間で各々が軸方向に延びる一対のチャネルとを有し、
前記スネアワイヤが、前記遠位に向くエネルギー伝達構造部を越えて退縮可能ループを形成するように前記一対のチャネル内に配置される、外科用スネア。
【請求項２】
前記同軸ケーブルが、マイクロ波電磁エネルギーを移すように構成され、前記エネルギー伝達構造部が、前記同軸ケーブルから受け取るマイクロ波電磁エネルギーを放射するアンテナとして構成される、請求項１に記載の外科用スネア。
【請求項３】
前記アンテナが、導電性材料、またはマイクロ波エネルギーの効果的な伝播を可能にする低損失誘電体から形成される、請求項２に記載の外科用スネア。
【請求項４】
前記低損失誘電体がセラミックである、請求項３に記載の外科用スネア。
【請求項５】
前記同軸ケーブルが、高周波数（ＲＦ）電磁エネルギーを移すように構成され、前記エネルギー伝達構造部が、前記内側導体に電気的に接続された導電性材料を含む、請求項１または２に記載の外科用スネア。
【請求項６】
前記エネルギー伝達構造部が、前記エンドキャップに形成された導電性表面を含む、請求項５に記載の外科用スネア。
【請求項７】
前記スネアワイヤが、前記外側導体に電気的に接続された導電性材料を含む、請求項１〜６のいずれかに記載の外科用スネア。
【請求項８】
前記スネアワイヤが、前記内側導体及び前記エネルギー伝達構造部から電気的に絶縁されている、請求項７に記載の外科用スネア。
【請求項９】
前記エンドキャップが、前記内側導体に電気的に接続された導電性本体を備え、前記一対のチャネルが、前記導電性本体を貫通する孔であり、前記孔は、前記スネアワイヤを前記導電性本体から電気的に絶縁する内面の絶縁層を有する、請求項８に記載の外科用スネア。
【請求項１０】
前記スネアワイヤが、前記遠位ヘッド組立体に摺動可能に据え付けられ、それにより、前記ループが前記エネルギー伝達構造部に向かって退縮可能である、請求項１〜９のいずれかに記載の外科用スネア。
【請求項１１】
前記遠位に向くエネルギー伝達構造部が、完全に退縮したときに前記退縮可能ループに接触するための反応面を備える、請求項１０に記載の外科用スネア。
【請求項１２】
前記エネルギー伝達構造部が、遠位に向く導電性表面を含み、前記反応面は、前記遠位に向く導電性表面を横切る絶縁材料のストリップである、請求項１１に記載の外科用スネア。
【請求項１３】
前記反応面は、前記遠位に向く導電性表面の溝である、請求項１１または１２に記載の外科用スネア。
【請求項１４】
前記反応面が、前記スネアワイヤによって捕捉された生体組織の切断を容易にするための鋭利なエッジを含む、請求項１１〜１３のいずれか一項に記載の外科用スネア。
【請求項１５】
前記遠位に向くエネルギー伝達構造部が丸みを帯びている、請求項１〜１４のいずれかに記載の外科用スネア。
【請求項１６】
前記遠位に向くエネルギー伝達構造部がドームであり、前記一対のチャネルの前記出口が前記ドームに位置する、請求項１５に記載の外科用スネア。
【請求項１７】
前記エンドキャップが、前記退縮可能ループの面と位置合わせした側面に絶縁カバー部を有する、請求項１〜１６のいずれかに記載の外科用スネア。
【請求項１８】
前記遠位ヘッド組立体が、前記同軸ケーブルに据え付けられ、前記外側導体に電気的に接続された固定ボスを含み、前記スネアワイヤは、前記固定ボスに電気的に接続される、請求項１〜１７のいずれかに記載の外科用スネア。
【請求項１９】
前記スネアワイヤの第１の端部は、前記同軸ケーブルに対して軸方向に摺動可能なプッシュロッドに取り付けられ、前記スネアワイヤの第２の端部は、前記固定ボスに取り付けられる、請求項１８に記載の外科用スネア。
【請求項２０】
前記スネアワイヤの第１の端部及び第２の端部が、前記同軸ケーブルに対して軸方向に摺動可能なプッシュロッドに取り付けられ、前記スネアワイヤが前記固定ボスを通り抜ける、請求項１８に記載の外科用スネア。
【請求項２１】
前記スネアワイヤの第１の端部及び第２の端部が接続されて共通スネアワイヤを形成し、前記共通スネアワイヤが前記同軸ケーブルに対して軸方向に摺動可能なプッシュロッドに取り付けられている、請求項１８に記載の外科用スネア。
【請求項２２】
前記プッシュロッドが、前記同軸ケーブルに摺動可能に据え付けられた可動ボスを備える、請求項１９〜２１のいずれか一項に記載の外科用スネア。
【請求項２３】
前記遠位ヘッド組立体が、前記同軸ケーブルの遠位端と前記エンドキャップとの間に据え付けられたインピーダンス変成部を含み、前記インピーダンス変成部は、前記エンドキャップ及び処置されるべき組織のインピーダンスに対し前記同軸ケーブルの前記インピーダンスに整合するように構成されている、請求項１〜２２のいずれかに記載の外科用スネア。
【請求項２４】
前記インピーダンス変成部が、
前記内側導体の遠位端と前記エンドキャップの前記近位面との間で軸方向に延びる１本の導電性材料と、
前記１本の導電性材料の対向する側に軸方向に延びる一対の通路とを含み、
前記スネアワイヤが前記一対の通路を通り抜ける、請求項２３に記載の外科用スネア。
【請求項２５】
前記通路が絶縁体で一面覆われ、それにより前記スネアワイヤを前記内側導体から絶縁する、請求項２４に記載の外科用スネア。
【請求項２６】
前記遠位ヘッド組立体の側面を包囲するように構成されたスリーブを有する、請求項１〜２５のいずれかに記載の外科用スネア。
【請求項２７】
前記スリーブが、前記退縮可能ループを囲むように前記遠位ヘッド組立体に対して摺動可能である、請求項２６に記載の外科用スネア。
【請求項２８】
前記同軸ケーブルが前記スリーブ内に収容されている、請求項２６または２７に記載の外科用スネア。
【請求項２９】
前記スリーブが、前記同軸ケーブルを運ぶための第１の長手方向の空洞と、前記スネアワイヤに接続されたプッシュロッドを運ぶための第２の長手方向の空洞とに入る前記スリーブの内側部分を隔てる内部の長手方向の仕切りを有する、請求項２８に記載の外科用スネア。
【請求項３０】
前記エンドキャップが、絶縁性及び／または非粘着性コーティングを有する、請求項１〜２９のいずれかに記載の外科用スネア。